(57)【要約】【課題】たとえ浴場水中に多量のカルシウムやマグネシウムなどが含まれていても、それらのスケール成分をより効果的に除去したり、あるいは、スケールの付着を未然に防止することのできる浴場水用スケール防止剤。【解決手段】グルコン酸またはグルコン酸の塩とメタ燐酸の塩とを主成分とする浴場水用スケール防止剤。【選択図】        なし【特許請求の範囲】
【請求項１】
グルコン酸またはグルコン酸の塩とメタ燐酸の塩とを主成分とする浴場水用スケール防止剤。
【請求項２】
前記メタ燐酸の塩が、メタ燐酸ナトリウムまたはメタ燐酸カリウムである請求項１に記載の浴場水用スケール防止剤。
【請求項３】
前記グルコン酸の塩が、水酸化ナトリウムまたは水酸化カリウムで中和されたグルコン酸ナトリウムまたはグルコン酸カリウムである請求項１または２に記載の浴場水用スケール防止剤。
【発明の詳細な説明】
【０００１】
【発明の属する技術分野】
本発明は、浴場水中に溶け込んでいる成分が不溶性となって浴槽の壁面や配管内面などに付着するスケールを除去したり、あるいは、スケールの付着を未然に防止するために使用する浴場水用スケール防止剤に関する。
【０００２】
【従来の技術】
この種のスケール防止剤としては、一般的に希塩酸などが多用されているが、金属に対して腐食性があり、また、人体に対する悪影響もあって、その取り扱いに困難性を伴う欠点がある。
そこで、従来、人体への影響の少ないスケール防止剤として、１−ヒドロキシエチリデン−１，１−ジホスホン酸（以下、ＨＥＤＰと称する）を主成分とする薬剤が提案され、実際に米国のモンサント社からディクエスト（商標名）という名称で販売されている。
【０００３】
【発明が解決しようとする課題】
ところが、浴場水中に多量のスケール成分、特に、一部の温泉水のようにカルシウムやマグネシウムなどが多量に含まれている場合、ＨＥＤＰでは、必ずしも満足できるスケール防止効果を得られるとは限らず、この点に改良の余地が残されている。
【０００４】
本発明は、たとえ浴場水中に多量のカルシウムやマグネシウムなどが含まれていても、それらのスケール成分をより効果的に除去したり、あるいは、スケールの付着を未然に防止することのできる浴場水用スケール防止剤を提供することである。
【０００５】
【課題を解決するための手段】
請求項１の発明の特徴構成は、浴場水用スケール防止剤であって、グルコン酸またはグルコン酸の塩とメタ燐酸の塩とを主成分とするところにある。
【０００６】
請求項１の発明の特徴構成によれば、浴場水用スケール防止剤が、グルコン酸またはグルコン酸の塩とメタ燐酸の塩とを主成分とすることにより、従来のスケール防止剤と比較して、より良好なスケール除去および防止効果を期待することができ、また、グルコン酸とグルコン酸の塩のうち、グルコン酸を使用する場合には、食品添加物であるグルコン酸の使用により人体への影響も少なく安心して使用することができる。
特に、後述する試験結果から明らかなように、カルシウムやマグネシウムなどを多量に含む温泉水に対して効果的であり、温泉水用として最適なスケール防止剤を提供することができる。
【０００７】
請求項２の発明の特徴構成は、前記メタ燐酸の塩が、メタ燐酸ナトリウムまたはメタ燐酸カリウムであるところにある。
【０００８】
請求項２の発明の特徴構成によれば、メタ燐酸の塩が、食品添加物であるメタ燐酸ナトリウムまたはメタ燐酸カリウムであるから、食品添加物であるグルコン酸と併用することにより、良好なスケール除去および防止効果を損なうことなく、しかも、人体への影響もなく安心して使用することができる。
したがって、例えば、温泉地や営業用の浴場設備において、浴場水中に混入して循環させることも可能であり、浴場設備を閉鎖することなく、浴槽の壁面や配管内面などに付着したスケールを除去したり、スケールの付着を未然に防止することができる。
【０００９】
請求項３の発明の特徴構成は、前記グルコン酸の塩が、水酸化ナトリウムまたは水酸化カリウムで中和されたグルコン酸ナトリウムまたはグルコン酸カリウムであるところにある。
【００１０】
請求項３の発明の特徴構成によれば、グルコン酸の塩が、食品添加物である水酸化ナトリウムまたは水酸化カリウムで中和されたグルコン酸ナトリウムまたはグルコン酸カリウムであるから、食品添加物であるメタ燐酸ナトリウムまたはメタ燐酸カリウムと併用することにより人体への影響もなく、上述したように浴場水中に混入して循環させることで、温泉地や営業用の浴場設備において、浴場設備を閉鎖することなく、浴槽の壁面や配管内面などに付着したスケールを除去したり、スケールの付着を未然に防止することができる。
【００１１】
【発明の実施の形態】
本発明による浴場水用スケール防止剤は、グルコン酸またはグルコン酸の塩とメタ燐酸の塩とを主成分とする。
グルコン酸の塩としては、例えば、食品添加物である水酸化ナトリウムまたは水酸化カリウムで中和されたグルコン酸ナトリウムまたはグルコン酸カリウムを使用するのが好ましく、また、メタ燐酸の塩としては、食品添加物であるメタ燐酸ナトリウムまたはメタ燐酸カリウムを使用するのが好ましい。
グルコン酸またはその塩とメタ燐酸の塩との混合比は、対象とする浴場水の水質や泉質、さらには、スケールの付着状況などに応じて適宜設定するのが好ましく、重量比で１〜４：４〜１の範囲内がひとつの目安となる。
【００１２】
この浴場水用スケール防止剤の効果確認のため、従来のスケール防止剤との比較試験を行ったので、つぎに、その試験に供した浴場設備と試験結果について説明する。
試験に使用した浴場設備は、図１に示すように、浴槽１とその浴槽１へ浴場水Ｗ（新湯）を補給する供給管２を備え、浴槽１には、循環ポンプ３の駆動により浴槽１内の浴場水Ｗを循環させる循環路４が接続されている。
その循環路４には、循環ポンプ３の上手側に位置する集毛器５と、循環ポンプ３の下手側に位置するろ過器６および熱交換器７が配設され、さらに、循環ポンプ３とろ過器６との間の循環路４には、浴場水用スケール防止剤を注入する薬剤注入装置８が接続されている。
【００１３】
試験に使用した浴場水Ｗは、愛媛県南道後温泉の温泉水（泉質：ナトリウム塩化物温泉）で、比較のために、従来のスケール防止剤として、１−ヒドロキシエチリデン−１，１−ジホスホン酸（図２においてＨＥＤＰと表示）を使用した。
薬剤注入装置８による薬剤の注入は、毎日午前８時〜９時、１２時〜１３時、１７時〜１８時の３回行って、スケール除去の効果判定は、試験開始から５日後にろ過器６内のろ過材上層部に溜まったスケールの状況により判断した。
その結果を示したのが図２で、この図表から、グルコン酸が２．５ｇでメタ燐酸ナトリウムが２．５ｇ、つまり、添加薬剤の量が５．０ｇ／ｍ3以上であれば、スケールの付着は認められず、グルコン酸が０．３ｇでメタ燐酸ナトリウムが０．５ｇ、それに水酸化ナトリウムが０．０６ｇ、つまり、添加薬剤の量が０．８６ｇ／ｍ3でも、ＨＥＤＰと同程度の効果のあることが理解できる。
【００１４】
また、循環する浴場水Ｗに対する薬剤の添加量Ｘ（ｇ／ｍ3）については、グルコン酸とメタ燐酸ナトリウムを使用して試験したところ、グルコン酸が０．１ｇでメタ燐酸ナトリウムが０．１ｇの薬剤の場合、上述した試験において大きさ４０ｍｍの塊が４個認められ、その塊は軟らかいものであった。
これより添加薬剤の量が０．２ｇ／ｍ3の場合、効果的にはＨＥＤＰより劣るが、無添加に比べれば十分な効果があり、したがって、浴場水Ｗに対する薬剤添加量Ｘの下限は０．２ｇ／ｍ3程度と認められる。
【００１５】
なお、試験に使用した浴場設備は、いわゆる循環式の浴場設備であるが、温泉地で多用されている一過式浴場設備においても実施可能であり、その一例を示したのが図３である。
この図に示す一過式浴場設備では、浴槽１へ浴場水（新湯の温泉水）Ｗを補給する供給管２が、その先端に浴場水Ｗを汲み揚げる揚水ポンプ９を備え、中間に貯湯槽１０と送湯ポンプ１１が介装されている。
そして、揚水ポンプ９と貯湯槽１０との間の供給管２に薬剤注入装置８が接続されていて、薬剤注入装置８から注入されるスケール防止剤により供給管２の内面や浴槽１の壁面へのスケールの付着が防止される。
【図面の簡単な説明】
【図１】効果確認の試験に使用した浴場設備の概略構成図
【図２】効果確認の試験結果を示す図表
【図３】一過式浴場設備の概略構成図
【符号の説明】
１        浴槽
２        供給管
３        循環ポンプ
４        循環路
５        集毛器
６        ろ過器
７        熱交換器
８        薬剤注入装置
９        揚水ポンプ
１０      貯湯槽
１１      送湯ポンプ
Ｗ        浴場水
【図１】
2004188386.tif 000002
【図２】
2004188386.tif 000003
【図３】
2004188386.tif 000004